(57)【要約】【課題】再使用可能な丁張り器具を提供する。【解決手段】金属製杭１と両端にガイド筒４を付設の基準体３とを備え、ガイド筒４に挿入される金属製杭１を固定する固定具５をガイド筒４に設け、基準体３に貫材７を取り付ける。【選択図】図１
2015094084.tif 000002
【特許請求の範囲】
【請求項１】
金属製杭と両端にガイド筒を付設の基準体とを備え、
前記ガイド筒に挿入される金属製杭を固定する固定具をガイド筒に設け、
前記基準体に貫材を取り付けることを特徴とする丁張り器具。
【請求項２】
金属製杭と一対の基準体とを備え、
前記一対の基準体を垂直に結合して垂直基準体を構成すると共に、その垂直部にガイド筒を設け、
前記一対の基準体の端部にガイド筒を設けると共に、前記ガイド筒に挿入される金属製杭を固定する固定具をガイド筒に設け、
前記基準体に貫材を取り付けることを特徴とする丁張り器具。
【請求項３】
請求項２の丁張り器具であり、
一対の基準体をヒンジを介して結合することを特徴とする丁張り器具。
【請求項４】
請求項１から請求項３のいずれか１項の丁張り器具であり、
貫材を基準体に挟着具で固定することを特徴とする丁張り器具。
【発明の詳細な説明】
【技術分野】
【０００１】
本願発明は、丁張り器具に関し、特に、再使用可能な丁張り器具に関する。
【背景技術】
【０００２】
丁張りは、敷地に対して建物の位置を決め、 基礎工事を行う為に行う。また、 土地が全て水平ではなく、
道路の高さと敷地の各横に貫板を用いて、水糸を介して、 敷地に対して建物の位置を決め、 基礎工事を行う。
この丁張りは、図８に示すように、一対の木製杭１００を地面に打ち込み、水平基準に合わせて貫板１０１を木製杭１００に固定する。そして、前記貫板１０１に、基準点に釘１０３を打ちつけて、水糸１０５を張って基準線としている。
尚、木製杭に替えて、金属製杭を用いる旨、特許文献１に開示してある。
【先行技術文献】
【特許文献】
【０００３】
【特許文献１】特開２００１−１８２３２６号公報
【発明の概要】
【発明が解決しようとする課題】
【０００４】
木製の杭を使用することによって、その国政杭の再利用は難しい。又、金属製杭を使用するに当たって、貫板との結合を如何なる構造にするか、という課題がある。
そこで、本願の丁張り器具は、かかる課題を解消するものを提供する。
【課題を解決するための手段】
【０００５】
請求項１の丁張り器具は、金属製杭と両端にガイド筒を付設の基準体とを備え、前記ガイド筒に挿入される金属製杭を固定する固定具をガイド筒に設け、前記基準体に貫材を取り付ける。
又、請求項２の丁張り器具は、金属製杭と一対の基準体とを備え、前記一対の基準体を垂直に結合して垂直基準体を構成すると共に、その垂直部にガイド筒を設け、前記一対の基準体の端部にガイド筒を設けると共に、前記ガイド筒に挿入される金属製杭を固定する固定具をガイド筒に設け、前記一対の基準体の端部にガイド筒を設けると共に、前記ガイド筒に挿入される金属製杭を固定する固定具をガイド筒に設け、前記基準体に貫材を取り付ける。
又、請求項３の丁張り器具は、一対の基準体をヒンジを介して結合する。
又、請求項４の丁張り器具は、貫材を基準体に挟着具で固定する。
【発明の効果】
【０００６】
本願の丁張り器具は、杭が金属製であり、再利用可能であると共に、貫材を取り替えることによって長く使用することができる。
【図面の簡単な説明】
【０００７】
【図１】丁張り器具の構成図である。
【図２】丁張り器具の使用状態を示す図である。
【図３】土地の隅部に使用する丁張り器具の構成図である。
【図４】土地の隅部に使用する丁張り器具の使用図である。
【図５】他の構成の丁張り器具の図である。
【図６】他の構成の丁張り器具の図である。
【図７】他の構成の丁張り器具の使用図である。
【図８】従来の丁張り器具の使用図である。
【発明を実施するための形態】
【０００８】
図面を参照して丁張り器具について説明する。図１は丁張り器具の構成部品図であり、図２は使用状態である。
1対の金属製杭1の先端は尖塔状であり、硬い地面に対しても挿入可能である。
金属製薄板状の基準体３の両端部には、前記金属製杭１を挿入可能なガイド筒４が付設してあり、そのガイド筒４には前記金属製杭１を固定するためのねじ込む固定具５が付設してある。又、前記基準体３には、木製の貫材７がネジ等（図示略）で取り付けてある。
【０００９】
次に、図２を参照して使用方法について説明すると、先ず、ガイド体4に金属製杭１を挿入し、金属製杭1を地中に挿入する。そして、基準体３の水平、高さを決めて、固定具5を締め付けることによって、基準体３は金属製杭１に固定される。次に、貫材７に、基準位置に釘８を打ち付けて、水糸１０を張ることによって、基準線が出る。
この丁張り器具は、金属製杭１が金属製のため、硬い地面に対しても打ち込むことができると共に再利用が可能であるし、基準体３も金属であるので再利用でき、貫材７も複数回使用後、ネジ（図示略）を介して、基準体に新たな貫材を取り付けて使用できる。
【００１０】
次に、図3は土地の隅部に設置する丁張り器具である。
ガイド体４に対して、それぞれヒンジ（裏面側）を介して、一対の基準体３，３が結合されて垂直基準体を構成し、前記一対の基準体３はヒンジ（図示略）を介して種々の角度で開口でき、最大開口したとき９０°にセットされる。又、前記基準体３、３の端部にはガイド体4、４が付設してあり、垂直基準体には、両端部とほぼ中心にガイド体４が付設してある。
又、前記垂直基準体には、それぞれ木製の貫材７、７がビス等で取り付けてある。
【００１１】
次に、前記土地の隅部にセットして、縦と横の基準を出す丁張り器具の使用について図４を参照して説明する。
３本の金属製杭１をそれぞれのガイド筒４に挿入し、地面に挿入する。そして、水平、高さの基準に合わせて、それぞれの固定具5を締め付けることによって、垂直基準体は金属製杭１に固定される。
次に、一対の貫材７、７に、縦と横の基準位置に釘８、８を打ち付けて、水糸１０，１０を張ることによって、縦と横の基準線となる。
このように、予め、垂直基準体は、最大に開口すると、垂直状態になるので、土地の隅部における垂直を容易にセットすることができるし、例えば、６０°の角度の場合には、その開度に垂直基準体を開いてセットすればよいので、容易に種々の角度に対する基準を得ることができる。
【００１２】
次に、図５、図６は、前記と異なる構成の丁張り器具の構成部品図であり、図７は土地に設置の丁張り器具の状態である。この丁張り器具は、前記の丁張り器具と異なり、基準体に貫材を挟着具を介して固定する方式である。
先ず、図５の構成部品について説明すると、土地の隅部に設置される金属製薄板状の一対の基準体３，３は垂直に結合されて垂直基準体を構成し、垂直部にガイド筒４が設けてあり、基準体３の両端には貫材７を装着して固定する金属製薄板状の断面Ｕ字状の挟着具２０が取り付けてある。なお、この挟着具２０には、ネジ式の固定具２１が設けてあり、装着される貫板７を固定する。
又、前記隅部に設置する垂直基準体に延設して設けられ、貫板７と延設貫板７ａを装着固定する延設挟着具２５は、金属製薄板状の断面Ｕ字状であり、片面に、ネジ式固定具２７を取り付けのガイド筒４が設けてあり、他面には貫材７を固定するネジ式の固定具２１が取り付けてある
【００１３】
次に、図６の構成部品について説明すると、土地の隅部に設置される金属製薄板状の一対の基準体３，３は垂直にヒンジ２０で結合されて垂直基準体を構成し、垂直部にガイド筒４が設けてあり、基準体３の両端には貫材７を装着して固定する金属製薄板状の断面Ｕ字状の挟着具２０が取り付けてある。なお、ヒンジ２９で結合の垂直基準体は、種々の角度に設定できる。また、挟着具２０には、ネジ式の固定具２１が設けてあり、装着される貫板７を固定する。
又、土地の隅部に設置する垂直基準体に延設して設けられ、２枚の貫板７を装着固定する延設挟着具２５は、金属製薄板状の断面Ｕ字状であり、片面に、ネジ式固定具２７を取り付けのガイド筒４が設けてあり、他面には貫材７を固定するネジ式の固定具２１が取り付けてある。
【００１４】
図７は、前記垂直基準体を土地の隅部において金属製杭１をガイド筒４に挿入して固定具で固定すると共に、貫材７を装着して固定具２１で固定することによって、隅部の丁張り具が設置される。又、相対する隅部においても同様に、丁張り具を設置する。また、延設挟着具２５を用いて、貫板７と延設貫板７ａを装着固定することによって、土地の辺を設定することができる。
尚、ヒンジ２９で結合の垂直基準体を用いることによって、隅部の角度が垂直以内の角度で設定することができる。
以上のように、金属製の基準体と貫材及び金属杭で構成の丁張り器具を用いることによって、容易に繰り返し使用することができる。又、貫材は基準体に対してビス等で固定しても良いし、挟着具或いは延設挟着具で固定してもよい。
【符号の説明】
【００１５】
１  金属製杭
３  基準体
４  ガイド筒
５  固定具
７  貫材
７ａ  延設貫板
８  釘
１０  水糸
２５  延設挟着具
２９  ヒンジ
【図１】
2015094084.tif 000003
【図２】
2015094084.tif 000004
【図３】
2015094084.tif 000005
【図４】
2015094084.tif 000006
【図５】
2015094084.tif 000007
【図６】
2015094084.tif 000008
【図７】
2015094084.tif 000009
【図８】
2015094084.tif 000010